(57)【要約】      （修正有）【課題】ＤＣインレットのみを備える車両がＡＣコンセントから電力の供給を受けることを可能にし、かつ、電力供給中において電流の異常を検知可能な電力変換ケーブル装置を提供する。【解決手段】電力変換ケーブル装置１００Ａは、交流電力用コンセントに接続可能なＡＣ端子Ｔ１１〜Ｔ１３を有するコンセントプラグ１１０と、車両の直流電力用インレットに接続可能なＤＣ端子Ｔ２１、Ｔ２２を有するＤＣコネクタ１３０と、コンセントプラグとＤＣコネクタとをつなぐケーブル１２０と、ＡＣ端子とＤＣ端子との間における所定の検知箇所の電流の異常を検知する異常検知部Ｕ１と、検知箇所よりもＤＣ端子側に位置し、ＡＣ端子側から入力される交流電力を直流電力に変換してＤＣ端子側へ出力するように構成される電力変換回路２３と、を備える。【選択図】図２
2020072496.tif 000002
【特許請求の範囲】
【請求項１】
交流電力用コンセントに接続可能なＡＣ端子を有するコンセントプラグと、
車両の直流電力用インレットに接続可能なＤＣ端子を有するＤＣコネクタと、
前記コンセントプラグと前記ＤＣコネクタとをつなぐケーブルと、
前記ＡＣ端子と前記ＤＣ端子との間における所定の検知箇所の電流の異常を検知する異常検知部と、
前記検知箇所よりも前記ＤＣ端子側に位置し、前記ＡＣ端子側から入力される交流電力を直流電力に変換して前記ＤＣ端子側へ出力するように構成される電力変換回路とを備える、電力変換ケーブル装置。
【請求項２】
前記異常検知部は、前記検知箇所の電流を検出する電流センサと、前記ＡＣ端子と前記電力変換回路との間で電流の導通／遮断を切り替えるスイッチと、前記スイッチを制御する制御装置とを含み、
前記制御装置は、前記電流センサの検出結果を用いて、前記検知箇所の電流に異常が生じていると判断される場合には、前記スイッチを遮断状態にするように構成される、請求項１に記載の電力変換ケーブル装置。
【請求項３】
前記異常検知部は、前記コンセントプラグの筐体内に収容されており、
前記電力変換回路は、前記ＤＣコネクタの筐体内に収容されている、請求項１又は２に記載の電力変換ケーブル装置。
【請求項４】
前記異常検知部及び前記電力変換回路は、前記コンセントプラグの筐体内に収容されている、請求項１又は２に記載の電力変換ケーブル装置。
【請求項５】
前記異常検知部及び前記電力変換回路は、前記ＤＣコネクタの筐体内に収容されている、請求項１又は２に記載の電力変換ケーブル装置。
【請求項６】
前記ケーブルの途中には、前記異常検知部及び前記電力変換回路を収容する筐体が設けられている、請求項１又は２に記載の電力変換ケーブル装置。
【請求項７】
前記異常検知部は、前記コンセントプラグの筐体内に収容されており、
前記ケーブルの途中には、前記電力変換回路を収容する筐体が設けられている、請求項１又は２に記載の電力変換ケーブル装置。
【請求項８】
前記ケーブルの途中には、前記異常検知部を収容する筐体が設けられており、
前記電力変換回路は、前記ＤＣコネクタの筐体内に収容されている、請求項１又は２に記載の電力変換ケーブル装置。
【発明の詳細な説明】
【技術分野】
【０００１】
本開示は、電力変換ケーブル装置に関する。
【背景技術】
【０００２】
近年、環境保全などの観点から、主に電力を動力源とする電動車両（電気自動車、プラグインハイブリッド車等）が増える傾向がある。こうした車両は、給電設備から供給される電力を受電するインレットを備え、インレットが受電した電力によって車載バッテリを充電するように構成される。給電設備の充電ケーブルのコネクタが車両のインレットに接続されることによって、給電設備から充電ケーブルを通じて車両のインレットへ電力を供給することが可能になる。
【０００３】
主な給電方式としては、交流電力供給方式（以下、「ＡＣ方式」とも称する）と、直流電力供給方式（以下、「ＤＣ方式」とも称する）とが知られており、主な給電設備としては普通充電器及び急速充電器が知られている。普通充電器ではＡＣ方式が採用され、急速充電器ではＤＣ方式が採用されている。また、コンセントタイプの普通充電器は、交流電力用コンセント（以下、「ＡＣコンセント」とも称する）を備える。コンセントタイプの普通充電器では、一端にコンセントプラグ、他端にコネクタを備える充電ケーブルが使用される。充電ケーブルのコンセントプラグが普通充電器のＡＣコンセントに接続され、充電ケーブルのコネクタが車両の交流電力用インレット（以下、「ＡＣインレット」とも称する）に接続される。
【０００４】
家庭用ＡＣコンセントから出力される電力によって車載バッテリを充電することもできる。たとえば、特開２０１０−１１００５５号公報（特許文献１）には、家庭用ＡＣコンセント（より特定的には、住宅の外壁に設けられた単相交流１００Ｖのコンセント）に接続可能なコンセントプラグを備える充電ケーブルが開示されている。
【先行技術文献】
【特許文献】
【０００５】
【特許文献１】特開２０１０−１１００５５号公報
【発明の概要】
【発明が解決しようとする課題】
【０００６】
上記特許文献１に記載される充電ケーブルのコネクタは、車両のＡＣインレットに接続される。このため、特許文献１に記載される充電ケーブルは、ＡＣインレットを備えない車両では使用できない。しかしながら、将来、直流電力用インレット（以下、「ＤＣインレット」とも称する）のみを備える車両（以下、「ＤＣ専用車」とも称する）が普及することが考えられる。一般に、ＤＣ方式の給電設備は大型で住宅に設置することが難しいため、ＤＣ専用車がＡＣコンセントから電力の供給を受けるための新たな手段を上記将来に備えて用意することが求められる。
【０００７】
本開示は、上記課題を解決するためになされたものであり、その目的は、ＤＣインレットのみを備える車両がＡＣコンセントから電力の供給を受けることを可能にし、かつ、電力供給中において電流の異常を検知可能な電力変換ケーブル装置を提供することである。
【課題を解決するための手段】
【０００８】
本開示に係る電力変換ケーブル装置は、交流電力用コンセントに接続可能なＡＣ端子を有するコンセントプラグと、車両の直流電力用インレットに接続可能なＤＣ端子を有するＤＣコネクタと、コンセントプラグとＤＣコネクタとをつなぐケーブルと、異常検知部と、電力変換回路とを備える。異常検知部は、ＡＣ端子とＤＣ端子との間における所定の検知箇所の電流の異常を検知するように構成される。電力変換回路は、上記検知箇所よりもＤＣ端子側に位置し、ＡＣ端子側から入力される交流電力を直流電力に変換してＤＣ端子側へ出力するように構成される。
【０００９】
上記電力変換ケーブル装置は、ＡＣコンセントから出力される交流電力をコンセントプラグで受電することができる。そして、上記電力変換回路によって、コンセントプラグで受電した交流電力を直流電力に変換することができる。また、ＤＣコネクタは、車両のＤＣインレットに接続可能に構成される。このため、上記電力変換ケーブル装置を用いることで、ＤＣインレットのみを備える車両がＡＣコンセントから電力の供給を受けることが可能になる。電力変換ケーブル装置によって、ＡＣコンセントから出力される交流電力を直流電力に変換して車両に供給することができる。さらに、電力変換ケーブル装置における上記異常検知部によって、電力供給中において電流の異常を検知することも可能になる。
【００１０】
ＡＣコンセントは、電源から供給される電力を出力しているため、上記電力変換ケーブル装置において、コンセントプラグ側は上流（電源に近い側）に相当し、ＤＣコネクタ側は下流（電源から遠い側）に相当する。異常検知部では、検知箇所よりも下流での電流の異常が検知される。たとえば、下流から上流に戻ってくる電流の状態に基づいて電流の異常を検知することができる。上記電力変換ケーブル装置では、異常検知部の検知箇所が電力変換回路よりも上流（コンセントプラグ側）に位置するため、異常検知部は広い範囲で電流の異常を検知することができる。
【００１１】
上記電力変換ケーブル装置において、異常検知部は、検知箇所の電流を検出する電流センサと、ＡＣ端子と電力変換回路との間で電流の導通／遮断を切り替えるスイッチと、スイッチを制御する制御装置とを含んでいてもよい。そして、制御装置は、電流センサの検出結果を用いて、検知箇所の電流に異常が生じていると判断される場合には、スイッチを遮断状態にするように構成されてもよい。
【００１２】
上記電力変換ケーブル装置によれば、たとえば車両への電力供給中に電流の異常が生じると、スイッチによって電流が遮断される。これにより、受電側の回路（たとえば、車両の電子回路）を適切に保護することができる。
【００１３】
上記電力変換ケーブル装置において、異常検知部はコンセントプラグの筐体内に収容されてもよい。また、電力変換回路はＤＣコネクタの筐体内に収容されてもよい。
【００１４】
電力変換ケーブル装置を使用するときに、ケーブルの途中が重くなると、電力変換ケーブル装置が扱いにくくなる傾向がある。この点、上記電力変換ケーブル装置では、異常検知部及び電力変換回路がケーブル以外の部分（コンセントプラグ及びＤＣコネクタ）に設けられているため、異常検知部及び電力変換回路の追加により電力変換ケーブル装置が扱いにくくなることを抑制することができる。
【００１５】
上記電力変換ケーブル装置において、異常検知部及び電力変換回路は、コンセントプラグの筐体内に収容されていてもよい。
【００１６】
上記電力変換ケーブル装置では、単一の筐体内に異常検知部及び電力変換回路が配置される。このため、筐体内に１つの電源（すなわち、異常検知部及び電力変換回路に共通の電源）を設けることで、異常検知部及び電力変換回路を駆動するための電力を確保することができる。また、上記電力変換ケーブル装置では、コンセントプラグの筐体内に異常検知部及び電力変換回路が収容されるため、ＡＣ端子と異常検知部及び電力変換回路とが近くなる。このため、ＡＣコンセントからＡＣ端子に入力される電力によって異常検知部及び電力変換回路を駆動するための電力を確保する場合において、異常検知部及び電力変換回路に電力を引くための配線をシンプルにすることができる。
【００１７】
上記電力変換ケーブル装置において、異常検知部及び電力変換回路は、ＤＣコネクタの筐体内に収容されていてもよい。
【００１８】
上記電力変換ケーブル装置では、異常検知部及び電力変換回路がＤＣコネクタの筐体内に収容されているため、コンセントプラグを小型化しやすくなる。電力変換ケーブル装置のコンセントプラグを小型化することで、電力変換ケーブル装置は多くのＡＣコンセント（様々なインフラストラクチャ）に対応可能となる。
【００１９】
上記電力変換ケーブル装置において、ケーブルの途中に、異常検知部及び電力変換回路を収容する筐体が設けられていてもよい。
【００２０】
上記電力変換ケーブル装置では、異常検知部及び電力変換回路がコンセントプラグ及びＤＣコネクタ以外の部分（ケーブルの途中）に設けられているため、コンセントプラグ及びＤＣコネクタとして、既存のコンセントプラグ（たとえば、一般的なＡＣ方式の充電ケーブルで使用されているコンセントプラグ）と既存のＤＣコネクタ（たとえば、一般的なＤＣ方式の充電ケーブルで使用されているコネクタ）とをそのまま使用することができる。そして、既存の部品を用いることで、低コスト化が図られる。
【００２１】
上記電力変換ケーブル装置において、異常検知部はコンセントプラグの筐体内に収容されてもよい。また、ケーブルの途中に、電力変換回路を収容する筐体が設けられていてもよい。
【００２２】
上記電力変換ケーブル装置では、異常検知部及び電力変換回路がＤＣコネクタ以外の部分に設けられているため、ＤＣコネクタとして、既存のＤＣコネクタ（たとえば、一般的なＤＣ方式の充電ケーブルで使用されているコネクタ）をそのまま使用することができる。そして、既存の部品を用いることで、低コスト化が図られる。また、異常検知部と電力変換回路とをコンセントプラグとケーブルの途中とに分けて搭載することによって、コンセントプラグとケーブルの途中との一方が過剰に大型化することを抑制することができる。
【００２３】
上記電力変換ケーブル装置において、ケーブルの途中に、異常検知部を収容する筐体が設けられていてもよい。また、電力変換回路は、ＤＣコネクタの筐体内に収容されてもよい。
【００２４】
上記ケーブルの途中に設けられる筐体（異常検知部を収容する筐体）は、一般的なＡＣ方式の充電ケーブルで使用されているＣＣＩＤ（Charging  Circuit  Interrupt  Device）ボックスによって実現可能である。また、コンセントプラグも、既存のコンセントプラグ（たとえば、一般的なＡＣ方式の充電ケーブルで使用されているコンセントプラグ）をそのまま使用することができる。このように既存の部品を用いることで、低コスト化を図ることができる。
【発明の効果】
【００２５】
本開示によれば、ＤＣインレットのみを備える車両がＡＣコンセントから電力の供給を受けることを可能にし、かつ、電力供給中において電流の異常を検知可能な電力変換ケーブル装置を提供することが可能になる。
【図面の簡単な説明】
【００２６】
【図１】本開示の実施の形態１に係る電力変換ケーブル装置の外観を示す図である。
【図２】実施の形態１に係る電力変換ケーブル装置の内部構成を説明するための図である。
【図３】図２に示したＡＣ／ＤＣ変換回路の詳細を示す図である。
【図４】実施の形態２に係る電力変換ケーブル装置の内部構成を説明するための図である。
【図５】実施の形態３に係る電力変換ケーブル装置の内部構成を説明するための図である。
【図６】本開示の実施の形態４に係る電力変換ケーブル装置の外観を示す図である。
【図７】実施の形態４に係る電力変換ケーブル装置の内部構成を説明するための図である。
【図８】実施の形態５に係る電力変換ケーブル装置の内部構成を説明するための図である。
【図９】実施の形態６に係る電力変換ケーブル装置の内部構成を説明するための図である。
【発明を実施するための形態】
【００２７】
本開示の実施の形態について、図面を参照しながら詳細に説明する。なお、図中同一又は相当部分には同一符号を付してその説明は繰り返さない。
【００２８】
［実施の形態１］
図１は、本開示の実施の形態１に係る電力変換ケーブル装置の外観を示す図である。図１を参照して、この実施の形態に係る電力変換ケーブル装置は、コンセントプラグ１１０と、ＤＣコネクタ１３０と、コンセントプラグ１１０とＤＣコネクタ１３０とをつなぐケーブル１２０とを備える。ケーブル１２０としては、一般的な充電ケーブルで使用されている公知の可撓性ケーブルを採用できる。
【００２９】
コンセントプラグ１１０は、交流電力用コンセント（ＡＣコンセント）に接続可能に構成される。ＡＣコンセントの例としては、普通充電器のＡＣコンセントや、家庭用ＡＣコンセントが挙げられる。家庭用ＡＣコンセントは、配線用遮断器（いわゆるブレーカー）を介して系統電源に接続される。系統電源は、電力系統（電力会社等によって提供される電力網）から電力の供給を受ける交流電源（たとえば、電圧１００Ｖ又は２００Ｖの単相交流電源）である。
【００３０】
ＤＣコネクタ１３０は、車両の直流電力用インレット（ＤＣインレット）に接続可能に構成される。車両のＤＣインレットの例としては、各種給電方式（チャデモ方式、ＣＣＳ（Combined  Charging  System）方式、又はＧＢ／Ｔ方式等）のＤＣインレットが挙げられる。
【００３１】
図２は、実施の形態１に係る電力変換ケーブル装置１００Ａの内部構成を説明するための図である。
【００３２】
図２を参照して、コンセントプラグ１１０は、筐体Ｂ１を有し、筐体Ｂ１内には異常検知ユニットＵ１が収容されている。また、コンセントプラグ１１０は、端子Ｔ１１〜Ｔ１３をさらに有する。端子Ｔ１１〜Ｔ１３は、筐体Ｂ１の表面に露出している。コンセントプラグ１１０がＡＣコンセントに差し込まれると、コンセントプラグ１１０の端子Ｔ１１、Ｔ１２、Ｔ１３がそれぞれＡＣコンセント（ひいては、交流電源）のＨＯＴ端子、ＣＯＬＤ端子、グランド端子に電気的に接続される。端子Ｔ１１、Ｔ１２はそれぞれ筐体Ｂ１内の電力線ＰＬ１、ＰＬ２に接続されており、端子Ｔ１３は筐体Ｂ１内のグランド線ＧＬに接続されている。この実施の形態に係る端子Ｔ１１，Ｔ１２は、本開示に係る「ＡＣ端子」の一例に相当する。
【００３３】
ケーブル１２０は、シース（外部被覆）ＳＨを有し、シースＳＨ内に電力線ＰＬ１，ＰＬ２及びグランド線ＧＬが収容されている。電力線ＰＬ１，ＰＬ２及びグランド線ＧＬは、コンセントプラグ１１０とケーブル１２０とＤＣコネクタ１３０とにわたって配線されている。
【００３４】
ＤＣコネクタ１３０は、筐体Ｂ２を有し、筐体Ｂ２内には電力変換ユニットＵ２が収容されている。また、ＤＣコネクタ１３０は、端子Ｔ２１及びＴ２２をさらに有する。端子Ｔ２１及びＴ２２は、筐体Ｂ２の表面に露出している。ＤＣコネクタ１３０が車両のＤＣインレットに接続されると、ＤＣコネクタ１３０の端子Ｔ２１，Ｔ２２が車両のＤＣインレットの対応する端子に電気的に接続される。これにより、端子Ｔ２１，Ｔ２２に出力される電力を車両（ひいては、車載バッテリ）に供給することが可能になる。端子Ｔ２１、Ｔ２２はそれぞれＰ（ポジティブ）端子、Ｎ（ネガティブ）端子に相当し、筐体Ｂ２内の電力線ＰＬ１、ＰＬ２に接続されている。この実施の形態に係る端子Ｔ２１，Ｔ２２は、本開示に係る「ＤＣ端子」の一例に相当する。
【００３５】
異常検知ユニットＵ１は、制御装置１１及び電源回路１２を含み、電力変換ユニットＵ２は、制御装置２１及び電源回路２２を含む。電源回路１２、２２は、それぞれ制御装置１１、２１に駆動電力（すなわち、制御装置を作動させるための電力）を供給するように構成される。
【００３６】
制御装置１１及び２１の各々は、演算装置、記憶装置、及び入出力ポート（いずれも図示せず）を含んで構成される。演算装置としては、たとえばＣＰＵ（Central  Processing  Unit）を採用できる。記憶装置は、データを一時的に記憶するＲＡＭ（Random  Access  Memory）と、各種情報を保存するストレージ（たとえば、ＲＯＭ（Read  Only  Memory）及び書き換え可能な不揮発性メモリ）とを含む。ストレージには、各種制御で用いられるプログラムのほか、プログラムで使用される各種パラメータも予め格納されている。記憶装置に記憶されているプログラムを演算装置が実行することで、各種制御が実行される。なお、各種制御については、ソフトウェアによる処理に限られず、専用のハードウェア（電子回路）で処理することも可能である。
【００３７】
電源回路１２、２２はそれぞれ、電力線ＰＬ１，ＰＬ２から供給される交流電力を用いて制御装置１１、２１の駆動電力を生成し、生成された駆動電力を制御装置１１、２１に供給するように構成される。たとえば、電源回路１２及び２２の各々は、ＡＣ／ＤＣ変換回路を含んで構成される。そして、電源回路１２、２２はそれぞれ、電力線ＰＬ１，ＰＬ２から供給される交流電力を制御装置１１、２１の駆動に適した直流電力に変換するように構成される。
【００３８】
異常検知ユニットＵ１は、制御装置１１及び電源回路１２に加えて、スイッチ１３，１４と、電流センサ１５，１６とをさらに含む。この実施の形態に係る異常検知ユニットＵ１は、本開示に係る「異常検知部」の一例に相当する。
【００３９】
スイッチ１３、１４は、それぞれ電力線ＰＬ１、ＰＬ２に設けられている。スイッチ１３，１４は、コンセントプラグ１１０の端子Ｔ１１，Ｔ１２とＤＣコネクタ１３０の筐体Ｂ２内のＡＣ／ＤＣ変換回路２３との間で電流の導通／遮断を切り替えるように構成される。スイッチ１３，１４の状態（導通状態／遮断状態）は、制御装置１１によって制御される。スイッチ１３，１４としては、たとえば電磁式のメカニカルリレーを採用できる。ただし、ＳＳＲ（Solid  State  Relay）とも称される半導体リレーをスイッチ１３，１４として採用してもよい。半導体リレーの例としては、サイリスタ、トライアック、又はトランジスタ（ＩＧＢＴ、ＭＯＳＦＥＴ、バイポーラトランジスタ等）から構成されるリレーが挙げられる。
【００４０】
電流センサ１５、１６は、それぞれ電力線ＰＬ１、ＰＬ２に流れる電流を検出するように構成される。電流センサ１５，１６は、所定の検知箇所Ｄ１に設けられ、検知箇所Ｄ１の電流を検出するように構成される。この実施の形態では、検知箇所Ｄ１が、筐体Ｂ１内のスイッチ１３，１４の近傍（より特定的には、スイッチ１３，１４よりも端子Ｔ２１，Ｔ２２側）に設定されている。
【００４１】
電力変換ユニットＵ２は、制御装置２１及び電源回路２２に加えて、ＡＣ／ＤＣ変換回路２３をさらに含む。ＡＣ／ＤＣ変換回路２３は、電流センサ１５，１６（ひいては、検知箇所Ｄ１）よりも端子Ｔ２１，Ｔ２２側に位置する。この実施の形態に係るＡＣ／ＤＣ変換回路２３は、本開示に係る「電力変換回路」の一例に相当する。
【００４２】
図３は、ＡＣ／ＤＣ変換回路２３の詳細を示す図である。図３を参照して、ＡＣ／ＤＣ変換回路２３は、力率改善（ＰＦＣ：Power  Factor  Correction）回路２３１、絶縁回路２３２、及び整流回路２３３を含んで構成される。ＰＦＣ回路２３１は、整流回路２３１ａ及びインバータ２３１ｂを含んで構成される。絶縁回路２３２は、第１コイル２３２ａ及び第２コイル２３２ｂを含む絶縁トランスである。
【００４３】
整流回路２３１ａは、入力される交流電力を整流するとともに昇圧するように構成される。より具体的には、整流回路２３１ａは、２つの上下アームと、２つのリアクトルと、１つの平滑コンデンサを含んで構成される。各上下アームにおいて、上アームはダイオードを含み、下アームはスイッチング素子を含む。下アームのスイッチング素子は、制御装置２１によって制御される。整流回路２３１ａに含まれる各スイッチング素子が制御装置２１によって制御されることで、整流回路２３１ａが昇圧チョッパ回路として機能する。
【００４４】
インバータ２３１ｂは、４つのスイッチング素子を含むフルブリッジ回路である。各スイッチング素子は、制御装置２１によって制御される。インバータ２３１ｂに含まれる各スイッチング素子が制御装置２１によって制御されることで、整流回路２３１ａからインバータ２３１ｂに入力される直流電力が高周波の交流電力に変換される。
【００４５】
絶縁回路２３２において、第２コイル２３２ｂは、第１コイル２３２ａよりも端子Ｔ１１，Ｔ１２側（ＰＦＣ回路２３１側）に位置する。整流回路２３３は電線を介して絶縁回路２３２の第１コイル２３２ａに接続されており、ＰＦＣ回路２３１は電線を介して絶縁回路２３２の第２コイル２３２ｂに接続されている。
【００４６】
第１コイル２３２ａと第２コイル２３２ｂとは互いに電気的に絶縁されている。第２コイル２３２ｂよりも端子Ｔ１１，Ｔ１２側（ＰＦＣ回路２３１側）の電力経路と、第１コイル２３２ａよりも端子Ｔ２１，Ｔ２２側（整流回路２３３側）の電力経路とは、絶縁回路２３２によって電気的に絶縁されている。絶縁回路２３２は、第２コイル２３２ｂに印加される交流電圧を昇圧して第１コイル２３２ａに出力する。
【００４７】
整流回路２３３は、４つのダイオードを含むダイオードブリッジ回路である。整流回路２３３は、絶縁回路２３２の第１コイル２３２ａから供給される交流電力を直流電力に変換するように構成される。
【００４８】
ＡＣ／ＤＣ変換回路２３は、上記のような構成（図３参照）によって、端子Ｔ１１，Ｔ１２側から入力される交流電力にＡＣ／ＤＣ変換（交流から直流への変換）を行なって端子Ｔ２１，Ｔ２２側に直流電力を出力するように構成される。なお、ＡＣ／ＤＣ変換回路２３の構成は、図３に示した構成に限定されない。たとえば、ＡＣ／ＤＣ変換回路２３は、絶縁回路を含まない整流回路であってもよい。
【００４９】
異常検知ユニットＵ１において、制御装置１１は、電流センサ１５，１６の検出結果を用いて、検知箇所Ｄ１の電流に異常が生じているか否かを判断する。電力変換ケーブル装置１００Ａにおいて、端子Ｔ１１，Ｔ１２側は上流（電源に近い側）に相当し、端子Ｔ２１，Ｔ２２側は下流（電源から遠い側）に相当する。上記電流センサ１５，１６の検出結果には、検知箇所Ｄ１よりも下流での電流の異常が現れる傾向がある。たとえば、制御装置１１は、検知箇所Ｄ１を流れる電流の平衡状態が崩れたときに、電流の異常（より特定的には、漏電）が生じたと判断してもよい。また、制御装置１１は、検知箇所Ｄ１において過大な電流が検知されたときに、電流の異常（より特定的には、過電流）が生じたと判断してもよい。この実施の形態に係る電力変換ケーブル装置１００Ａでは、検知箇所Ｄ１がコンセントプラグ１１０の筐体Ｂ１内（すなわち、ＡＣ／ＤＣ変換回路２３よりも上流）に位置するため、ケーブル１２０及びＤＣコネクタ１３０を含む広い範囲での電流の異常を検知することができる。
【００５０】
異常検知ユニットＵ１において、制御装置１１は、電流センサ１５，１６の検出結果を用いて、検知箇所Ｄ１の電流に異常が生じていると判断される場合には、スイッチ１３，１４を遮断状態にするように構成される。このため、たとえば車両への電力供給中に電流の異常が生じると、スイッチ１３，１４によって電流が遮断される。これにより、受電側の回路（たとえば、車両の電子回路）を適切に保護することが可能になる。
【００５１】
以上説明したように、この実施の形態に係る電力変換ケーブル装置１００Ａは、ＡＣコンセントから出力される交流電力をコンセントプラグ１１０で受電することができる。そして、ＡＣ／ＤＣ変換回路２３によって、コンセントプラグ１１０で受電した交流電力を直流電力に変換することができる。また、ＤＣコネクタ１３０は、車両のＤＣインレットに接続可能に構成される。このため、上記電力変換ケーブル装置１００Ａを用いることで、ＤＣインレットのみを備える車両（ＤＣ専用車）がＡＣコンセントから電力の供給を受けることが可能になる。電力変換ケーブル装置１００Ａによって、ＡＣコンセントから出力される交流電力を直流電力に変換して車両に供給することができる。また、電力変換ケーブル装置１００Ａにおける上記異常検知ユニットＵ１によって、電力供給中において電流の異常を検知することも可能になる。
【００５２】
異常検知ユニットＵ１は、コンセントプラグ１１０の筐体Ｂ１内に収容されている。また、電力変換ユニットＵ２（ひいては、ＡＣ／ＤＣ変換回路２３）は、ＤＣコネクタ１３０の筐体Ｂ２内に収容されている。
【００５３】
電力変換ケーブル装置１００Ａを使用するときに、ケーブル１２０の途中が重くなると、電力変換ケーブル装置１００Ａが扱いにくくなる傾向がある。より具体的には、ケーブル１２０の途中が重くなると、電力変換ケーブル装置１００Ａを持ち運びにくくなったり、ＤＣコネクタ１３０を車両のＤＣインレットに接続しにくくなったりする。この実施の形態に係る電力変換ケーブル装置１００Ａでは、異常検知ユニットＵ１及び電力変換ユニットＵ２がケーブル１２０に設けられていないため、異常検知ユニットＵ１及び電力変換ユニットＵ２の追加により電力変換ケーブル装置１００Ａが扱いにくくなることを抑制することができる。
【００５４】
また、一般にＡＣコンセントよりも車両のＤＣインレットのほうが高い位置に配置される傾向がある。この実施の形態に係る電力変換ケーブル装置１００Ａでは、ＡＣ／ＤＣ変換回路２３がＤＣコネクタ１３０の筐体Ｂ２内に収容されることで、ＡＣ／ＤＣ変換回路２３が水没しにくくなる。なお、異常検知ユニットＵ１はＡＣ／ＤＣ変換回路２３と比べて回路構成をシンプルにしやすいため、異常検知ユニットＵ１はＡＣ／ＤＣ変換回路２３よりも耐水性に優れる傾向がある。
【００５５】
［実施の形態２］
本開示の実施の形態２に係る電力変換ケーブル装置について説明する。実施の形態２は実施の形態１と共通する部分が多いため、主に相違点について説明し、共通する部分についての説明は割愛する。
【００５６】
実施の形態２に係る電力変換ケーブル装置も、外観上は、図１に示した構成を有する。ただし、実施の形態２に係る電力変換ケーブル装置の内部構成は、実施の形態１とは異なる。図４は、実施の形態２に係る電力変換ケーブル装置１００Ｂの内部構成を説明するための図である。
【００５７】
図４を参照して、電力変換ケーブル装置１００Ｂは、コンセントプラグ１１０、ケーブル１２０、及びＤＣコネクタ１３０を備える。コンセントプラグ１１０は筐体Ｂ１を有する。この実施の形態では、異常検知ユニットＵ１（図２）の代わりに一体型ユニットＵ３が、筐体Ｂ１内に収容されている。一方、ＤＣコネクタ１３０の筐体Ｂ２内には電力変換ユニットＵ２（図２）は収容されていない。ケーブル１２０は、シースＳＨを有し、シースＳＨ内に電力線ＰＬ１，ＰＬ２が収容されている。電力線ＰＬ１，ＰＬ２は、コンセントプラグ１１０とケーブル１２０とＤＣコネクタ１３０とにわたって配線されている。
【００５８】
一体型ユニットＵ３は、制御装置３１及び電源回路３２を含む。制御装置３１は、実施の形態１における制御装置１１，２１と同じハードウェア構成を有する。すなわち、制御装置３１も、演算装置及び記憶装置等（いずれも図示せず）を含んで構成される。電源回路３２は、電力線ＰＬ１，ＰＬ２から供給される交流電力を用いて制御装置３１の駆動電力を生成し、生成された駆動電力を制御装置３１に供給するように構成される。たとえば、電源回路３２は、ＡＣ／ＤＣ変換回路を含んで構成される。そして、電源回路３２は、電力線ＰＬ１，ＰＬ２から供給される交流電力を制御装置３１の駆動に適した直流電力に変換するように構成される。
【００５９】
一体型ユニットＵ３は、制御装置３１及び電源回路３２に加えて、スイッチ３３，３４と、電流センサ３５，３６と、ＡＣ／ＤＣ変換回路３７とをさらに含む。スイッチ３３，３４の状態（導通状態／遮断状態）は、制御装置３１によって制御される。スイッチ３３，３４としては、前述したスイッチ１３，１４（図２）と同様のスイッチを採用できる。また、ＡＣ／ＤＣ変換回路３７としても、前述したＡＣ／ＤＣ変換回路２３と同様の回路（たとえば、図３参照）を採用できる。
【００６０】
スイッチ３３、３４は、それぞれ電力線ＰＬ１、ＰＬ２に設けられている。スイッチ３３，３４は、端子Ｔ１１，Ｔ１２とＡＣ／ＤＣ変換回路３７との間で電流の導通／遮断を切り替えるように構成される。電流センサ３５、３６は、それぞれ電力線ＰＬ１、ＰＬ２に流れる電流を検出するように構成される。電流センサ３５，３６は、所定の検知箇所Ｄ２に設けられ、検知箇所Ｄ２の電流を検出するように構成される。この実施の形態では、検知箇所Ｄ２が、筐体Ｂ１内のスイッチ３３、３４の近傍（より特定的には、スイッチ３３、３４とＡＣ／ＤＣ変換回路３７との間）に設定されている。ＡＣ／ＤＣ変換回路３７は、電流センサ３５、３６（ひいては、検知箇所Ｄ２）よりも端子Ｔ２１，Ｔ２２側に位置し、端子Ｔ１１，Ｔ１２側から入力される交流電力を直流電力に変換して端子Ｔ２１，Ｔ２２側に出力するように構成される。
【００６１】
一体型ユニットＵ３において、制御装置３１は、電流センサ３５，３６の検出結果を用いて、検知箇所Ｄ２の電流の異常を検知するように構成される。また、制御装置３１は、電流センサ３５，３６の検出結果を用いて、検知箇所Ｄ２の電流に異常（漏電又は過電流など）が生じていると判断される場合には、スイッチ３３、３４を遮断状態にするように構成される。このため、たとえば車両への電力供給中に電流の異常が生じると、スイッチ３３、３４によって電流が遮断される。これにより、受電側の回路（たとえば、車両の電子回路）を適切に保護することが可能になる。
【００６２】
この実施の形態に係る制御装置３１とスイッチ３３、３４と電流センサ３５，３６とは、本開示に係る「異常検知部」の一例を構成する。この実施の形態に係るＡＣ／ＤＣ変換回路３７は、本開示に係る「電力変換回路」の一例に相当する。すなわち、この実施の形態に係る一体型ユニットＵ３は、本開示に係る「異常検知部」及び「電力変換回路」の両方を含むように構成される。
【００６３】
以上説明したように、この実施の形態に係る電力変換ケーブル装置１００Ｂによっても、ＡＣコンセントから出力される交流電力を直流電力に変換して車両に供給することが可能になる。また、上記一体型ユニットＵ３によって、電力供給中において電流の異常を検知することも可能になる。
【００６４】
また、電力変換ケーブル装置１００Ｂでは、一体型ユニットＵ３がコンセントプラグ１１０の筐体Ｂ１内に収容されているため、端子Ｔ１１，Ｔ１２と一体型ユニットＵ３とが近くなる。このため、ＡＣコンセントから端子Ｔ１１，Ｔ１２に入力される電力を一体型ユニットＵ３に引くための配線をシンプルにすることができる。
【００６５】
［実施の形態３］
本開示の実施の形態３に係る電力変換ケーブル装置について説明する。実施の形態３は実施の形態２と共通する部分が多いため、主に相違点について説明し、共通する部分についての説明は割愛する。
【００６６】
実施の形態３に係る電力変換ケーブル装置も、外観上は、図１に示した構成を有する。ただし、実施の形態３に係る電力変換ケーブル装置の内部構成は、実施の形態２とは異なる。図５は、実施の形態３に係る電力変換ケーブル装置１００Ｃの内部構成を説明するための図である。
【００６７】
図５を参照して、電力変換ケーブル装置１００Ｃは、コンセントプラグ１１０、ケーブル１２０、及びＤＣコネクタ１３０を備える。この実施の形態では、一体型ユニットＵ３が、コンセントプラグ１１０の筐体Ｂ１ではなく、ＤＣコネクタ１３０の筐体Ｂ２内に収容されている。
【００６８】
筐体Ｂ２内の一体型ユニットＵ３において、電流センサ３５，３６は、所定の検知箇所Ｄ３に設けられ、検知箇所Ｄ３の電流を検出するように構成される。この実施の形態では、検知箇所Ｄ３が、筐体Ｂ２内のスイッチ３３、３４の近傍（より特定的には、スイッチ３３、３４とＡＣ／ＤＣ変換回路３７との間）に設定されている。制御装置３１は、電流センサ３５，３６の検出結果を用いて、検知箇所Ｄ３の電流に異常（漏電又は過電流など）が生じていると判断される場合には、スイッチ３３、３４を遮断状態にするように構成される。ＡＣ／ＤＣ変換回路３７は、検知箇所Ｄ３よりも端子Ｔ２１，Ｔ２２側に位置し、端子Ｔ１１，Ｔ１２側から入力される交流電力を直流電力に変換して端子Ｔ２１，Ｔ２２側に出力するように構成される。
【００６９】
ところで、一般的なＡＣコンセントは、系統電源を利用するものが多く、多くのＡＣコンセントはインフラストラクチャとして用意される。このため、ＡＣコンセントに接続されるコンセントプラグ１１０については、ＤＣコネクタ１３０と比べて、大きさや形状等に関する制約が厳しくなる傾向がある。この点、この実施の形態に係る電力変換ケーブル装置１００Ｃでは、一体型ユニットＵ３が、ＤＣコネクタ１３０の筐体Ｂ２内に収容されている。このため、コンセントプラグ１１０を小型化することができる。電力変換ケーブル装置１００Ｃのコンセントプラグ１１０を小型化することで、電力変換ケーブル装置１００Ｃは多くのＡＣコンセント（様々なインフラストラクチャ）に対応可能となる。
【００７０】
［実施の形態４］
本開示の実施の形態４に係る電力変換ケーブル装置について説明する。実施の形態４は実施の形態２と共通する部分が多いため、主に相違点について説明し、共通する部分についての説明は割愛する。
【００７１】
図６は、本開示の実施の形態４に係る電力変換ケーブル装置の外観を示す図である。図６を参照して、この実施の形態に係る電力変換ケーブル装置は、コンセントプラグ１１０と、ＤＣコネクタ１３０と、コンセントプラグ１１０とＤＣコネクタ１３０とをつなぐケーブル１２０とを備える。ただし、ケーブル１２０は、ＡＣ側ケーブル１２１と、制御ボックス１２２と、ＤＣ側ケーブル１２３とを含んで構成される。ＡＣ側ケーブル１２１及びＤＣ側ケーブル１２３の各々としては、一般的な充電ケーブルで使用されている公知の可撓性ケーブルを採用できる。ＡＣ側ケーブル１２１と制御ボックス１２２とは接続部Ｃ１で接続されており、制御ボックス１２２とＤＣ側ケーブル１２３とは接続部Ｃ２で接続されている。接続部Ｃ１，Ｃ２は、着脱可能であってもよいし、一体型（着脱不可能）であってもよい。
【００７２】
図７は、実施の形態４に係る電力変換ケーブル装置１００Ｄの内部構成を説明するための図である。
【００７３】
図７を参照して、電力変換ケーブル装置１００Ｄは、コンセントプラグ１１０と、ＡＣ側ケーブル１２１と、制御ボックス１２２と、ＤＣ側ケーブル１２３と、ＤＣコネクタ１３０とを備える。制御ボックス１２２は筐体Ｂ３を有する。この実施の形態では、一体型ユニットＵ３が、制御ボックス１２２の筐体Ｂ１ではなく、制御ボックス１２２の筐体Ｂ３内に収容されている。ＡＣ側ケーブル１２１は、シースＳＨ１を有し、シースＳＨ１内に電力線ＰＬ１，ＰＬ２及びグランド線ＧＬが収容されている。ＤＣ側ケーブル１２３は、シースＳＨ２を有し、シースＳＨ２内に電力線ＰＬ１，ＰＬ２が収容されている。電力線ＰＬ１，ＰＬ２は、コンセントプラグ１１０とケーブル１２０とＤＣコネクタ１３０とにわたって配線されている。
【００７４】
筐体Ｂ３内の一体型ユニットＵ３において、電流センサ３５，３６は、所定の検知箇所Ｄ４に設けられ、検知箇所Ｄ４の電流を検出するように構成される。この実施の形態では、検知箇所Ｄ４が、筐体Ｂ３内のスイッチ３３、３４の近傍（より特定的には、スイッチ３３、３４とＡＣ／ＤＣ変換回路３７との間）に設定されている。制御装置３１は、電流センサ３５，３６の検出結果を用いて、検知箇所Ｄ４の電流に異常（漏電又は過電流など）が生じていると判断される場合には、スイッチ３３、３４を遮断状態にするように構成される。ＡＣ／ＤＣ変換回路３７は、検知箇所Ｄ４よりも端子Ｔ２１，Ｔ２２側に位置し、端子Ｔ１１，Ｔ１２側から入力される交流電力を直流電力に変換して端子Ｔ２１，Ｔ２２側に出力するように構成される。
【００７５】
この実施の形態に係る電力変換ケーブル装置１００Ｄでは、ケーブル１２０の途中に制御ボックス１２２が設けられており、制御ボックス１２２の筐体Ｂ３内に一体型ユニットＵ３が収容されている。このため、コンセントプラグ１１０及びＤＣコネクタ１３０として、既存のコンセントプラグ（たとえば、一般的なＡＣ方式の充電ケーブルで使用されているコンセントプラグ）と既存のＤＣコネクタ（たとえば、一般的なＤＣ方式の充電ケーブルで使用されているコネクタ）とをそのまま使用することができる。そして、既存の部品を用いることで、低コスト化が図られる。
【００７６】
電力変換ケーブル装置１００Ｄにおける制御ボックス１２２は壁掛け可能に構成されてもよい。たとえば、制御ボックス１２２の筐体Ｂ３が、壁掛け金具を取り付けるための構造を有していてもよい。制御ボックス１２２を壁掛け可能にすることで、電力変換ケーブル装置１００Ｄが扱いやすくなる。また、制御ボックス１２２の重さによる電力変換ケーブル装置１００Ｄのストレスを軽減することができる。
【００７７】
［実施の形態５］
本開示の実施の形態５に係る電力変換ケーブル装置について説明する。実施の形態５は実施の形態４と共通する部分が多いため、主に相違点について説明し、共通する部分についての説明は割愛する。
【００７８】
実施の形態５に係る電力変換ケーブル装置も、外観上は、図６に示した構成を有する。ただし、実施の形態５に係る電力変換ケーブル装置の内部構成は、実施の形態４とは異なる。図８は、実施の形態５に係る電力変換ケーブル装置１００Ｅの内部構成を説明するための図である。
【００７９】
図８を参照して、電力変換ケーブル装置１００Ｅは、コンセントプラグ１１０と、ＡＣ側ケーブル１２１と、制御ボックス１２２と、ＤＣ側ケーブル１２３と、ＤＣコネクタ１３０とを備える。この実施の形態では、一体型ユニットＵ３ではなく、異常検知ユニットＵ１（図２）及び電力変換ユニットＵ２（図２）を採用している。コンセントプラグ１１０の筐体Ｂ１内に異常検知ユニットＵ１が収容されており、制御ボックス１２２の筐体Ｂ３内に電力変換ユニットＵ２が収容されている。異常検知ユニットＵ１及び電力変換ユニットＵ２の構成は、実施の形態１と同じである。
【００８０】
筐体Ｂ１内の異常検知ユニットＵ１において、電流センサ１５，１６は、所定の検知箇所Ｄ５に設けられ、検知箇所Ｄ５の電流を検出するように構成される。この実施の形態では、検知箇所Ｄ５が、筐体Ｂ１内のスイッチ１３，１４の近傍（より特定的には、スイッチ１３，１４よりも端子Ｔ２１，Ｔ２２側）に設定されている。制御装置１１は、電流センサ１５，１６の検出結果を用いて、検知箇所Ｄ５の電流に異常（漏電又は過電流など）が生じていると判断される場合には、スイッチ１３、１４を遮断状態にするように構成される。また、筐体Ｂ３内の電力変換ユニットＵ２において、ＡＣ／ＤＣ変換回路２３は、検知箇所Ｄ５よりも端子Ｔ２１，Ｔ２２側に位置し、端子Ｔ１１，Ｔ１２側から入力される交流電力を直流電力に変換して端子Ｔ２１，Ｔ２２側に出力するように構成される。
【００８１】
この実施の形態に係る電力変換ケーブル装置１００Ｅでは、異常検知ユニットＵ１がコンセントプラグ１１０の筐体Ｂ１内に収容されている。また、ケーブル１２０の途中に制御ボックス１２２が設けられており、制御ボックス１２２の筐体Ｂ３内に電力変換ユニットＵ２（ひいては、ＡＣ／ＤＣ変換回路２３）が収容されている。このため、ＤＣコネクタ１３０として、既存のＤＣコネクタ（たとえば、一般的なＤＣ方式の充電ケーブルで使用されているコネクタ）をそのまま使用することができる。そして、既存の部品を用いることで、低コスト化が図られる。また、異常検知ユニットＵ１と電力変換ユニットＵ２とをコンセントプラグ１１０と制御ボックス１２２とに分けて搭載することによって、コンセントプラグ１１０及び制御ボックス１２２の一方が過剰に大型化することを抑制することができる。
【００８２】
［実施の形態６］
本開示の実施の形態６に係る電力変換ケーブル装置について説明する。実施の形態６は実施の形態５と共通する部分が多いため、主に相違点について説明し、共通する部分についての説明は割愛する。
【００８３】
実施の形態６に係る電力変換ケーブル装置も、外観上は、図６に示した構成を有する。ただし、実施の形態６に係る電力変換ケーブル装置の内部構成は、実施の形態５とは異なる。図９は、実施の形態６に係る電力変換ケーブル装置１００Ｆの内部構成を説明するための図である。
【００８４】
図９を参照して、電力変換ケーブル装置１００Ｆは、コンセントプラグ１１０と、ＡＣ側ケーブル１２１と、制御ボックス１２２と、ＤＣ側ケーブル１２３と、ＤＣコネクタ１３０とを備える。この実施の形態では、制御ボックス１２２の筐体Ｂ３内に異常検知ユニットＵ１が収容されており、ＤＣコネクタ１３０の筐体Ｂ２内に電力変換ユニットＵ２が収容されている。ＡＣ側ケーブル１２１のシースＳＨ１内にも、ＤＣ側ケーブル１２３のシースＳＨ２内にも、電力線ＰＬ１，ＰＬ２及びグランド線ＧＬが収容されている。電力線ＰＬ１，ＰＬ２及びグランド線ＧＬは、コンセントプラグ１１０とケーブル１２０とＤＣコネクタ１３０とにわたって配線されている。
【００８５】
筐体Ｂ３内の異常検知ユニットＵ１において、電流センサ１５，１６は、所定の検知箇所Ｄ６に設けられ、検知箇所Ｄ６の電流を検出するように構成される。この実施の形態では、検知箇所Ｄ６が、筐体Ｂ３内のスイッチ１３，１４の近傍（より特定的には、スイッチ１３，１４よりも端子Ｔ２１，Ｔ２２側）に設定されている。制御装置１１は、電流センサ１５，１６の検出結果を用いて、検知箇所Ｄ６の電流に異常（漏電又は過電流など）が生じていると判断される場合には、スイッチ１３、１４を遮断状態にするように構成される。また、筐体Ｂ２内の電力変換ユニットＵ２において、ＡＣ／ＤＣ変換回路２３は、検知箇所Ｄ６よりも端子Ｔ２１，Ｔ２２側に位置し、端子Ｔ１１，Ｔ１２側から入力される交流電力を直流電力に変換して端子Ｔ２１，Ｔ２２側に出力するように構成される。
【００８６】
この実施の形態に係る電力変換ケーブル装置１００Ｆでは、電力変換ユニットＵ２（ひいては、ＡＣ／ＤＣ変換回路２３）がＤＣコネクタ１３０の筐体Ｂ２内に収容されている。また、ケーブル１２０の途中に制御ボックス１２２が設けられており、制御ボックス１２２の筐体Ｂ３内に異常検知ユニットＵ１が収容されている。コンセントプラグ１１０及び制御ボックス１２２としては、一般的なＡＣ方式の充電ケーブルで使用されているコンセントプラグ及びＣＣＩＤボックスを採用することができる。このように既存の部品を用いることで、低コスト化を図ることができる。
【００８７】
電力変換ケーブル装置１００Ｆにおける制御ボックス１２２とＤＣ側ケーブル１２３との接続部Ｃ２（図６）を着脱可能にすることにより、接続部Ｃ２よりもＤＣコネクタ１３０側の部分（ＤＣ側ケーブル１２３及びＤＣコネクタ１３０）をアタッチメント化してもよい。接続部Ｃ２よりもコンセントプラグ１１０側の部分（コンセントプラグ１１０、ＡＣ側ケーブル１２１、及び制御ボックス１２２）としては、既存の充電ケーブル（たとえば、ＣＣＩＤボックス付きケーブル）をそのまま使用することができる。
【００８８】
［他の実施の形態］
電流の異常検知に係る検知箇所（たとえば、検知箇所Ｄ１〜Ｄ６）は、電力変換回路（たとえば、ＡＣ／ＤＣ変換回路２３，３７）よりもＤＣ端子（たとえば、端子Ｔ２１，Ｔ２２）側に位置する範囲で適宜変更可能である。たとえば、電流の異常検知に係る検知箇所は、スイッチ１３，１４（又は、スイッチ３３，３４）よりも上流側に設定されてもよい。
【００８９】
上記各実施の形態では、検知箇所の電流に異常が検知されたときに、スイッチ（たとえば、スイッチ１３，１４，３３，３４）によって電流を遮断している。しかし、異常検知後の処理は、電流の遮断には限定されない。
【００９０】
たとえば、電力変換ケーブル装置は、報知装置（図示せず）を備えてもよい。報知装置の例としては、表示装置、スピーカー、ランプが挙げられる。そして、電力変換ケーブル装置は、検知箇所の電流に異常が検知されたときに、異常が生じたことの報知を行なうように構成されてもよい。報知処理は任意であり、表示装置への表示（文字や画像等）で知らせてもよいし、スピーカーにより音（音声を含む）で知らせてもよいし、所定のランプを点灯（点滅を含む）させてもよい。
【００９１】
また、電力変換ケーブル装置は、検知箇所の電流に異常が検知されたときに、異常が生じたことの記録を行なうように構成されてもよい。たとえば、電力変換ケーブル装置が備える記憶装置内のダイアグ（自己診断）のフラグの値を０から１にすることにより、異常が生じたことを記憶装置に記録してもよい。
【００９２】
上記各実施の形態では、ＡＣコンセントから端子Ｔ１１，Ｔ１２に入力される電力によって、制御装置１１，２１，３１を駆動するための電力を確保している。しかしこれに限られず、制御装置が収容される筐体内に、制御装置の電源として蓄電装置（たとえば、電池）を設けてもよい。
【００９３】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味及び範囲内でのすべての変更が含まれることが意図される。
【符号の説明】
【００９４】
１１，２１，３１  制御装置、１２，２２，３２  電源回路、１３，１４，３３，３４  スイッチ、１５，１６，３５，３６  電流センサ、２３，３７  ＡＣ／ＤＣ変換回路、１００Ａ，１００Ｂ，１００Ｃ，１００Ｄ，１００Ｅ，１００Ｆ  電力変換ケーブル装置、１１０  コンセントプラグ、１２０  ケーブル、１２１  ＡＣ側ケーブル、１２２  制御ボックス、１２３  ＤＣ側ケーブル、１３０  ＤＣコネクタ、２３１  ＰＦＣ回路、２３１ａ  整流回路、２３１ｂ  インバータ、２３２  絶縁回路、２３２ａ  第１コイル、２３２ｂ  第２コイル、２３３  整流回路、Ｂ１，Ｂ２，Ｂ３  筐体、Ｃ１，Ｃ２  接続部、Ｄ１，Ｄ２，Ｄ３，Ｄ４，Ｄ５，Ｄ６  検知箇所、ＧＬ  グランド線、ＰＬ１，ＰＬ２  電力線、ＳＨ，ＳＨ１，ＳＨ２  シース、Ｔ１１，Ｔ１２，Ｔ１３，Ｔ２１，Ｔ２２  端子、Ｕ１  異常検知ユニット、Ｕ２  電力変換ユニット、Ｕ３  一体型ユニット。
【図１】
2020072496.tif 000003
【図２】
2020072496.tif 000004
【図３】
2020072496.tif 000005
【図４】
2020072496.tif 000006
【図５】
2020072496.tif 000007
【図６】
2020072496.tif 000008
【図７】
2020072496.tif 000009
【図８】
2020072496.tif 000010
【図９】
2020072496.tif 000011